(57)【要約】【課題】  植木鉢の植物に水を与える方法に下から吸わせる方法がある。水が多すぎて根腐れ状態になることがあるが解決が出来ればというのが課題である。灌水に手間ひまがかからないことも。【解決手段】気水層からの底面吸水によるマットを使った吸水方法であり、気水層というはやや密閉された空間が水を含んだときにできる毛管現象が発生する場所でありこれを利用する栽培法である。空間は多くても毛管現象が発生しやすいピーナッツ殻のような物その他腐り難い材料を使う。そして結果からいえば吸水部分は乾燥すると吸水が遮断されるが濡らせば続行する。水が多ければ根腐れをおこすが、酸素が供給されれば問題はないことも分かった。培養土の主たる底面と満水時の水面とが密着または接近することがないように土の主たる底面と満水時との空間は２ｃｍ〜３ｃｍのとき水は常にあるほうがいい。乾くと吸水が悪くなるので手灌水して毛管現象を回復させる。【選択図】図１
2006051005.tif 000002
【特許請求の範囲】
吸水マットを使った吸水の方法でありマットの作り方である。
植物は葉・茎・根から成り立っている。根というは水と肥料と茎及び地上部を支える役割がある。水を吸うとはいっても自身酸素が不足すると根腐れを起こす。それは水面上数センチの間に水と空気を多量に含んだ培養土の無い層を作ることによって解決する。この層を気水層という。気水層現象を利用すれば根群は根腐れを起こさないし、灌水の過不足は無い。
【請求項１】
水面上数センチに達する厚みを有するマットを利用する底面吸水でありマットの材料はピーナッツ殻を主体としたもの。
〔底面吸水マットの構造〕
このマットは硬さがポイントである。硬すぎれば鉢底の毛管現象が弱くて水を吸いにくい。柔らかければ鉢が沈む、傾く。荒砂を使えば重い。軽ければ柔らかいものが多い。そこで見つけたのはピーナッツ殻である。ピーナッツ殻は軽い。毛管現象はいい。含む空気は多い。硬すぎず、軟らかすぎず、それでいて腐りにくいから良い材料である。
１、ピーナッツ殻を密閉した袋の中に入れる。
２、底部に細孔を有するトレーの中にピーナツ殻を入れ上は布で覆う。
３、固めのマットの上にシートを被せる。
〔底面吸水マットの利用のしかた〕
皿に水を張って
１、の場合この上に植木鉢類を置いて育てる。又は苗を植え込んで育てる。
２、の場合上に苗鉢を置く、プラグトレーを置いて育苗する、発芽を目的としたトレーを置く。
３、の場合も２、とねらいも使い方も同じ。
【発明の詳細な説明】
【発明の詳細な説明】
【０００１】産業上の利用分野
植木鉢等を使った植物の栽培における灌水の方法であり、地面からは離れたところで利用することのできる方法である。
【０００２】従来の技術
普通には上から注水する。この場合水が多かったりすることが多い。また乾きすぎることもある。植木鉢を使った植物の栽培では潅水は欠かせない仕事である。省力のために鉢の底部に水を貯える構造の鉢がある。思ったよりも生育が悪いことがあるのでよく観察してみると根腐れをおこしていることが多い。このばあい培養土は多量の水を含んでいる、下部が黒ずんでいて白い根が見当たらない。これを根腐れという。
【０００３】発明が解決しようとする課題
【根腐れについて】
根腐れと言うは根圏に水が多いときと酸素が不足すると多く発生する現象で、本件の場合は水面上数ｃｍまでがそうなりやすい。
【気水層について】
【０００４】気水層とは水面と鉢底の間の部分にあって自身肥料を含まないことと間隙の多い材料がやや固めの状態にあって閉ざされた状態のところにできる部分である。マットから毛細管現象を利用して鉢に底面給水するとき、植木鉢は底面から適度の水分と空気が供給されているから健全な発育をする。
１、根腐れする部分には培養土はないほうがよい。
２、水面と培土の底面との間には水と空気の多い中間層をおいて接近させない。
３、鉢の底面が乾くと以後吸水は止まるが普通に灌水すれば毛管現象は回復する。
４、培養土の底面からは空気の供給が確保されている。
５、水管理については常に貯水するだけでよい。
【０００５】解決するための方法。
〔図１〕は給水マット使用中で断面図。これによって説明する。培養土の主要な部分と満水時の水面との間は気水層となる。気水層とは密閉状態の場所にできる状態で、多量に空気のある空間の中を毛管現象が発達している。水分はこの中で上昇して、置いてある鉢等に到る。
【０００６】発明の経緯と従来の方法
底面給水の目的は省力にある。灌水の労力の軽減にある。この目的のために実施されている従来の方法は
１、広くて浅い水平なプール状の場所に鉢物を置いて下から水を吸わせる。吸わせたら抜き取る。この方法を考えた、やってみたが、水を抜くのに時間がかかりすぎる。完全には抜けないことが多い。
２、給水のための紐をつけた鉢を樋状の上に置いて水を吸わせる。この場合、底部と水面とが近いと過灌水となりやすい。軟弱な生育となる、根腐れ起こすものもある。これは栽培のための方法であるが適切な水位の確保に苦労しているのが現状である。
３、鉢と貯水槽が一体となったものでは水面と培養土の底面とが接近しているものがある。灌水効果にのみに注目しているからでこの場合水分過多となって発育不良となっている。水がいれてあれば持った時又は輸送する時とかにこぼれるし水が深ければ過潅水となる。
【０００７】発明の特徴
培養土の底面と水面との間に気水層があるのが本発明の特徴である。これは根の状態をよく観察した結果から考えた。また培養土底面直下の部分に空中の酸素を供給するためのマットがあるのが特徴である。貯水槽の広さと深さは関係がないが小さな鉢から大きな鉢にまで又いろいろな形の鉢にまで利用できる発明である。吸水中の鉢底は湿っているのも特徴のひとつである。
【０００８】発明の構造
底面吸水マットを利用して植木鉢等を栽培するための貯水トレーと気水層が組み合わさった構造のものである。水はマット部分に入れた腐りにくいピーナッツ又は荒砂または無機物の間を上昇して培養土に至る。底面吸水マットは水面上では気水層となる。
【０００９】発明の効果
鉢の中の培養土の底と貯水槽の最高水面とが密着することのない給水マットを作って栽培してみたら結果がよかった。貯水槽には常に水があればよい。発育がよくて、水持ちがよくて、一滴の水の無駄もない。床を濡らさない。ベランダ園芸もビルの屋上でも栽培が容易となる。気水層は満水時における水面をから鉢の間が３ｃｍ位のときに特に良かった。はっきりしていることは根腐れが起きないという事である。
【００１０】発明の応用と効果
鉢物を吸水マットの上に置くことでまわりに水さえあればいいというのがこの発明の特徴でありまた灌水の省力をねらったものでもある。鉢物の栽培上において穴トレーに苗とか鉢を入れたまま利用する、マットに植え込んで利用する、鉢物を吸水マットの上に置くができる。乾いたときの対応も普通の灌水でいい。この辺がこのアイデアの良いところである。上から水をかけるだけ、マットのまわりに水があればいい。それだけでいいとはいいことである。
【００１１】栽培から販売にいたる応用例
栽培においては以上簡単説明した。
輸送するとき。輸送には水はいらないが後のことを考えると穴トレーを利用するといい。園芸店に於ける対応。吸水マットの上にトレーのまま置けば灌水が楽である。灌水に過不足が無いので園芸店でも生育は健全に進む。給排水がいい。
【図面の簡単な説明】
【００１２】
【図１】は植木鉢と貯水槽と吸水マットはトレーを使用して組み合わせたもので断面図である。
【図２】は給水マット。袋の中にピーナッツ殻を入れてあるもので上に鉢を載せた状態で断面図である。
【図３】は気水層袋に植物を植える又は種まきしそれが発芽して生育している状態をスケッチした斜視断面図である。
【符号の説明】
【００１３】１は貯水トレー。
２は中容器。
３はピーナッツ殻。
４は袋の表面の布又はマットの上のシート。
５は鉢。
６は植物。
７は水面。
８は中トレー底部の通水孔。これは複数。
【図１】
2006051005.tif 000003
【図２】
2006051005.tif 000004
【図３】
2006051005.tif 000005